(57)【特許請求の範囲】
【請求項１】
広角レンズであって、
物体側から順に配置された、正の屈折力を有する第１レンズ、負の屈折力を有する第２レンズ、正の屈折力を有する第３レンズ、負の屈折力を有する第４レンズ、正の屈折力を有する第５レンズ、および、負の屈折力を有する第６レンズからなり、且つ、以下の条件式（１）〜（４）及び（１０’）を満たすことを特徴とする広角レンズ。
０．８０≦ｆ１／ｆ≦１．５０  （１）
−０．５０≦ｆ２／ｆ３≦−０．０５  （２）
１．１５≦ｄ１／ｄ９≦１．４０  （３）
Ｔ５６ｍｉｎ／ｄ１１≧０．５０  （４）
−１２．００≦ｆ４／ｆ≦−８．０６７  （１０’）
ただし、
ｆ：前記広角レンズ全体の焦点距離、
ｆ１：前記第１レンズの焦点距離、
ｆ２：前記第２レンズの焦点距離、
ｆ３：前記第３レンズの焦点距離、
ｆ４：前記第４レンズの焦点距離、
ｄ１：前記第１レンズの軸上厚み、
ｄ９：前記第５レンズの軸上厚み、
ｄ１１：前記第６レンズの軸上厚み、
Ｔ５６ｍｉｎ：光軸と平行な方向における、第５レンズの像側面と第６レンズの物体側面との間の最小間隔距離である。
【請求項２】
以下の条件式（５）を更に満たすことを特徴とする請求項１に記載の広角レンズ。
−５．００≦(Ｒ１＋Ｒ２)／(Ｒ１−Ｒ２)≦−１．００  （５）
ただし、
Ｒ１：前記第１レンズの物体側面の軸上曲率半径、
Ｒ２：前記第１レンズの像側面の軸上曲率半径である。
【請求項３】
以下の条件式（６）を更に満たすことを特徴とする請求項２に記載の広角レンズ。
−２．５０≦(Ｒ１＋Ｒ２)／(Ｒ１−Ｒ２)≦−１．２０  （６）
【請求項４】
以下の条件式（７）を更に満たすことを特徴とする請求項１に記載の広角レンズ。
−１．００≦ｆ１／ｆ２≦−０．２０  （７）
ただし、
ｆ１：前記第１レンズの焦点距離、
ｆ２：前記第２レンズの焦点距離である。
【請求項５】
以下の条件式（８）を更に満たすことを特徴とする請求項４に記載の広角レンズ。
−０．６０≦ｆ１／ｆ２≦−０．２０  （８）
【請求項６】
以下の条件式（１１）を更に満たすことを特徴とする請求項１に記載の広角レンズ。
０．１０≦Ｙｃ６２／ＴＴＬ≦０．５５  （１１）
ただし、
Ｙｃ６２：前記第６レンズの像側面における停留点から光軸までの垂直距離、
ＴＴＬ：前記広角レンズの光学長である。
【請求項７】
前記広角レンズのＦＮＯは、２．００以下であることを特徴とする請求項１に記載の広角レンズ。
【請求項８】
以下の条件式（１２）を満たすことを特徴とする請求項１に記載の広角レンズ。
Ｔ５６ｍｉｎ／ｄ１１≧１．００  （１２）
【発明の詳細な説明】
【技術分野】
【０００１】
本発明は、撮像レンズに係る発明であり、特に、高画素ＣＣＤ、ＣＭＯＳ等の撮像素子を用いる携帯電話カメラユニット、ＷＥＢ撮像レンズ等に適用されつつ、優れた光学特性を有し、ＴＴＬ（光学長）／ＩＨ(像高)≦１．５０であり、極薄、且つＦ値（以下では、ＦＮＯと略称）が２．００以下である、６つのレンズによって構成される広角レンズに関する。
【背景技術】
【０００２】
近年、ＣＣＤおよびＣＭＯＳ等の撮像素子を用いる各種の撮像装置は、ますます広く普及されてきている。これらの撮像素子の小型化、高性能化の発展につれて、優れた光学特性を持ちながら、極薄、且つ明るいＦＮＯを有する撮像レンズは、社会に求められている。
【０００３】
優れた光学特性を持ちながら、極薄且つ明るいＦＮＯを有する、６つのレンズからなる撮像レンズに関する技術開発は、徐々に推進されている。その中で、広角レンズが６つのレンズからなり、物体側から順に正の屈折力を有する第１レンズ、負の屈折力を有する第２レンズ、正の屈折力を有する第３レンズ、負の屈折力を有する第４レンズ、正の屈折力を有する第５レンズおよび負の屈折力を有する第６レンズであるものは、提出されている。
【発明の概要】
【発明が解決しようとする課題】
【０００４】
本発明は、上記問題に鑑みてなされたものであり、高結像性能を得るとともに、極薄化と広角化の要求を満たす広角レンズを提供することを目的とする。
【課題を解決するための手段】
【０００５】
上記技術問題を解決すべく、本発明の実施形態は、広角レンズを提供する。当該広角レンズは、物体側から順に配置された、正の屈折力を有する第１レンズ、負の屈折力を有する第２レンズ、正の屈折力を有する第３レンズ、負の屈折力を有する第４レンズ、正の屈折力を有する第５レンズ、および、負の屈折力を有する第６レンズからなり、且つ、以下の条件式（１）〜（４）を満たすことを特徴とする広角レンズ。
０．８０≦ｆ１／ｆ≦１．５０  （１）
−０．５０≦ｆ２／ｆ３≦−０．０５  （２）
１．１５≦ｄ１／ｄ９≦１．４０  （３）
Ｔ５６ｍｉｎ／ｄ１１≧０．５０  （４）
ただし、
ｆ：前記広角レンズ全体の焦点距離、
ｆ１：前記第１レンズの焦点距離、
ｆ２：前記第２レンズの焦点距離、
ｆ３：前記第３レンズの焦点距離、
ｄ１：前記第１レンズの軸上厚み、
ｄ９：前記第５レンズの軸上厚み、
ｄ１１：前記第６レンズの軸上厚み、
Ｔ５６ｍｉｎ：光軸と平行な方向における、第５レンズの像側面と第６レンズの物体側面との間の最小間隔距離である。
【０００６】
本発明の実施形態は、上記レンズの配置方式により、軸上厚み、焦点距離、および、第５レンズと第６レンズとの間隔距離のデータに特定の関係が存在するレンズの共同係合を利用することで、従来技術よりも、広角レンズが高結像性能を得るとともに、極薄化と広角化の要求を満たす。
【０００７】
好ましくは、以下の条件式（５）を更に満たす。
−５．００≦(Ｒ１＋Ｒ２)／(Ｒ１−Ｒ２)≦−１．００  （５）
ただし、
Ｒ１：前記第１レンズの物体側面の軸上曲率半径、
Ｒ２：前記第１レンズの像側面の軸上曲率半径である。
【０００８】
好ましくは、以下の条件式（６）を更に満たす。
−２．５０≦(Ｒ１＋Ｒ２)／(Ｒ１−Ｒ２)≦−１．２０  （６）
【０００９】
好ましくは、以下の条件式（７）を更に満たす。
−１．００≦ｆ１／ｆ２≦−０．２０  （７）
ただし、
ｆ１：前記第１レンズの焦点距離、
ｆ２：前記第２レンズの焦点距離である。
【００１０】
好ましくは、以下の条件式（８）を更に満たす。
−０．６０≦ｆ１／ｆ２≦−０．２０  （８）
【００１１】
好ましくは、以下の条件式（９）を更に満たす。
−２０．００≦ｆ４／ｆ≦−２．００  （９）
ただし、
ｆ４：前記第４レンズの焦点距離である。
【００１２】
好ましくは、以下の条件式（１０）を更に満たす。
−１２．００≦ｆ４／ｆ≦−２．００  （１０）
【００１３】
好ましくは、以下の条件式（１１）を更に満たす。
０．１０≦Ｙｃ６２／ＴＴＬ≦０．５５  （１１）
ただし、
Ｙｃ６２：前記第６レンズの像側面における停留点から光軸までの垂直距離、
ＴＴＬ：前記広角レンズの光学長である。
【００１４】
好ましくは、前記広角レンズのＦＮＯは、２．００以下である。
【００１５】
好ましくは、前記広角レンズは、以下の条件式（１２）を満たす。
Ｔ５６ｍｉｎ／ｄ１１≧１．００  （１２）
【発明の効果】
【００１６】
本発明は、下記の有利な作用効果を有する。本発明に係る広角レンズは、優れた光学特性を有し、極薄、広角であり、且つ色収差が十分に補正され、特に高画素用のＣＣＤ、ＣＭＯＳなどの撮像素子により構成された携帯電話の撮像レンズユニットとＷＥＢ撮像レンズに適用することができる。
【図面の簡単な説明】
【００１７】
【図１】本発明の第１実施形態の広角レンズの構造模式図である。
【図２】図１に示す広角レンズの軸上色収差の模式図である。
【図３】図１に示す広角レンズの倍率色収差の模式図である。
【図４】図１に示す広角レンズの像面湾曲及び歪曲収差の模式図である。
【図５】本発明の第２実施形態の広角レンズの構造模式図である。
【図６】図５に示す広角レンズの軸上色収差の模式図である。
【図７】図５に示す広角レンズの倍率色収差の模式図である。
【図８】図５に示す広角レンズの像面湾曲及び歪曲収差の模式図である。
【図９】本発明の第３実施形態の広角レンズの構造模式図である。
【図１０】図９に示す広角レンズの軸上色収差の模式図である。
【図１１】図９に示す広角レンズの倍率色収差の模式図である。
【図１２】図９に示す広角レンズの像面湾曲及び歪曲収差の模式図である。
【図１３】本発明の第４実施形態の広角レンズの構造模式図である。
【図１４】図１３に示す広角レンズの軸上色収差の模式図である。
【図１５】図１３に示す広角レンズの倍率色収差の模式図である。
【図１６】図１３に示す広角レンズの像面湾曲及び歪曲収差の模式図である。
【発明を実施するための形態】
【００１８】
本発明の目的、解決手段及びメリットがより明瞭になるように、図面を参照しながら、本発明の各実施形態を以下に詳しく説明する。しかし、本発明の各実施形態において、本発明が良く理解されるように多くの技術的詳細が提出されたが、それらの技術的詳細および以下の各実施形態に基づく各種の変化及び修正が存在しなくとも、本発明の保護しようとするものを実現可能であることは、当業者に理解されるべきである。
【００１９】
（第１実施形態）
図面を参照すると、本発明は、広角レンズ１０を提供する。図１は、本発明の第１実施形態の広角レンズ１０を示す。当該広角レンズ１０は、６つのレンズからなる。具体的に、前記広角レンズ１０は、物体側から像側へ向かって順に絞りＳ１、第１レンズＬ１、第２レンズＬ２、第３レンズＬ３、第４レンズＬ４、第５レンズＬ５および第６レンズＬ６からなる。第６レンズＬ６と像面Ｓｉとの間には、光学フィルタ（ｆｉｌｔｅｒ）ＧＦ等の光学素子が設けられてもよい。
【００２０】
第１レンズＬ１、第２レンズＬ２、第３レンズＬ３、第４レンズＬ４、第５レンズＬ５および第６レンズＬ６は、何れもプラスチック材質である。
【００２１】
第１レンズＬ１は、正の屈折力を有し、第２レンズＬ２は、負の屈折力を有し、第３レンズＬ３は、正の屈折力を有し、第４レンズＬ４は、負の屈折力を有し、第５レンズＬ５は、正の屈折力を有し、第６レンズＬ６は、負の屈折力を有する。
【００２２】
ここで、広角レンズ１０全体の焦点距離をｆ、第１レンズＬ１の焦点距離をｆ１として定義すると、当該広角レンズ１０は、条件式０．８０≦ｆ１／ｆ≦１．５０を満たす。当該条件式は、第１レンズＬ１の焦点距離ｆ１と広角レンズ１０全体の焦点距離ｆとの比を規定するものである。第１レンズＬ１の正屈折力を合理的な範囲で規定することにより、広角レンズの小型化を図る。
【００２３】
第２レンズＬ２の焦点距離をｆ２、第３レンズＬ３の焦点距離をｆ３として定義すると、当該広角レンズ１０は、条件式０．０５≦ｆ２／ｆ３≦０．２０を満たす。当該条件式は、第２レンズＬ２と第３レンズＬ３との焦点距離の比を規定するものである。屈折力の合理的な配分により、システムが優れた結像品質及び低い感度を有する。
【００２４】
第１レンズＬ１の軸上厚みをｄ１、第５レンズＬ５の軸上厚みをｄ９として定義すると、当該広角レンズ１０は、条件式１．１５≦ｄ１／ｄ９≦１．４０を満たす。当該条件式は、第１レンズＬ１と第５レンズＬ５との軸上厚みの比を規定するものである。この範囲外では、レンズの極薄広角化が進行するにつれて、色収差の補正が困難となる。
【００２５】
光軸と平行な方向における、第５レンズＬ５の像側面と第６レンズＬ６の物体側面との間の最小間隔距離をＴ５６ｍｉｎとして定義する。本実施形態において、Ｔ５６ｍｉｎは、０．４６３ｍｍであり、光軸から１．７ｍｍの高さに位置し、第６レンズＬ６の軸上厚みは、ｄ１１であり、当該広角レンズ１０は、条件式Ｔ５６ｍｉｎ／ｄ１１≧０．５０を満たす。この範囲内では、システムの収差の補正に一層有利であるとともに、結像品質も向上する。
【００２６】
本発明の前記広角レンズ１０の軸上厚みと焦点距離等が上記条件を満たすとき、広角レンズ１０は、高性能を有しつつ、広角、低ＴＴＬの設計需要を満たすことができる。具体的に、広角レンズ１０の全体焦点距離は、４．２６１ｍｍであり、光学長ＴＴＬは、４．９０８ｍｍであり、バックフォーカスＬＢは、０．９００ｍｍであり、画角は、７７．５５°であり、ＦＮＯは、１．８０１である。
【００２７】
本実施形態において、第１レンズＬ１は、物体側面が近軸において凸面であり、像側面が近軸において凹面であり、正の屈折力を有し、その焦点距離ｆ１が３．７８９ｍｍである。
【００２８】
前記第１レンズの物体側面の軸上曲率半径をＲ１、前記第１レンズの像側面の軸上曲率半径をＲ２として定義すると、当該広角レンズ１０は、条件式−５．００≦(Ｒ１＋Ｒ２)／(Ｒ１−Ｒ２)≦−１．００を満たす。当該条件式は、第１レンズＬ１の形状を規定するものである。第１レンズの形状を合理的に規定することにより、第１レンズによってシステムの球面収差を効果的に補正可能である。この範囲内では、ＦＮＯが明るい状態で広角化および小型化を実現することに一層有利である。好ましくは、条件式−２．５０≦(Ｒ１＋Ｒ２)／(Ｒ１−Ｒ２)≦−１．２０を満たす。
【００２９】
第２レンズＬ２は、物体側面が近軸において凸面であり、像側面が近軸において凹面であり、負の屈折力を有し、その焦点距離ｆ２が−１０．７５７ｍｍである。
【００３０】
広角レンズ１０は、条件式−１．００≦ｆ１／ｆ２≦−０．２０を満たし、当該条件式は、第１レンズＬ１と第２レンズＬ２との焦点距離の比を規定するものである。屈折力の合理的な配分により、システムが優れた結像品質及び低い感度を有する。好ましくは、条件式−０．６０≦ｆ１／ｆ２≦−０．２０を満たす。
【００３１】
第３レンズＬ３は、物体側面が近軸において凸面であり、像側面が近軸において凹面であり、正の屈折力を有し、その焦点距離ｆ３が５２．７３７ｍｍである。
【００３２】
第４レンズＬ４は、物体側面が近軸において凸面であり、像側面が近軸において凹面であり、負の屈折力を有し、その焦点距離ｆ４が−２４．７１７ｍｍである。
【００３３】
広角レンズ１０は、条件式−２０．００≦ｆ４／ｆ≦−２．００を満たし、当該条件式は、第４レンズＬ４の焦点距離ｆ４と広角レンズ１０全体の焦点距離ｆとの比を規定するものである。第４レンズＬ４の負屈折力を合理的な範囲で規定することにより、広角レンズの小型化を図る。好ましくは、条件式−１２．００≦ｆ４／ｆ≦−２．００を満たす。
【００３４】
第５レンズＬ５は、物体側面が近軸において凸面であり、像側面が近軸において凸面であり、正の屈折力を有し、その焦点距離ｆ５が３．１４８ｍｍである。
【００３５】
第６レンズＬ６は、物体側面が近軸において凹面であり、像側面が近軸において凹面であり、負の屈折力を有し、その焦点距離ｆ６が−２．３４３ｍｍである。
【００３６】
第６レンズＬ６の像側面における停留点から光軸までの垂直距離Ｙｃ６２は、０．９７５ｍｍであり、広角レンズ１０の光学長ＴＴＬは、４．９０８ｍｍであり、条件式０．１０≦Ｙｃ６２／ＴＴＬ≦０．５５を満たす。当該条件式は、第６レンズＬ６の停留点の位置と光学長との比を規定するものである。この範囲外では、広角レンズ１０の色収差と歪曲収差との補正が困難となる。
【００３７】
広角レンズ１０のＦＮＯは、２．００以下である。ＦＮＯは、広角レンズの絞りＦ値である。この条件を満たすと、広角レンズ１０が非常に良好な明るさを有することができ、大絞りの需要を満たしながら、夜間撮影効果もより良好になる。
【００３８】
このように設計すると、広角レンズ１０全体の光学長ＴＴＬをできる限り短くし、広角化と小型化の特性を維持するとともに、大絞りの需要を満足することができる。
【００３９】
好ましくは、広角レンズ１０は、条件式Ｔ５６ｍｉｎ／ｄ１１≧１．００を満たす。この範囲内では、システムの収差の補正に一層有利であるとともに、結像品質も向上する。
【００４０】
以下では、本発明に係る広角レンズ１０をさらに説明する。各実施形態に記載の記号は以下の通りである。焦点距離、軸上距離、曲率半径、軸上厚み、変曲点位置、停留点位置の単位がｍｍであり、全画角の単位が°である。
ｆ：広角レンズ１０全体の焦点距離
ｆ１：第１レンズＬ１の焦点距離
ｆ２：第２レンズＬ２の焦点距離
ｆ３：第３レンズＬ３の焦点距離
ｆ４：第４レンズＬ４の焦点距離
ＦＮＯ：Ｆ値
２ω：全画角
Ｓ１  ：絞り
Ｒ   ：光学面の曲率半径、レンズの場合は中心曲率半径
Ｒ１  ：第１レンズＬ１の物体側面の曲率半径
Ｒ２  ：第１レンズＬ１の像側面の曲率半径
Ｒ３  ：第２レンズＬ２の物体側面の曲率半径
Ｒ４  ：第２レンズＬ２の像側面の曲率半径
Ｒ５  ：第３レンズＬ３の物体側面の曲率半径
Ｒ６  ：第３レンズＬ３の像側面の曲率半径
Ｒ７  ：第４レンズＬ４の物体側面の曲率半径
Ｒ８  ：第４レンズＬ４の像側面の曲率半径
Ｒ９  ：第５レンズＬ５の物体側面の曲率半径
Ｒ１０：第５レンズＬ５の像側面の曲率半径
Ｒ１１ ：第６レンズＬ６の物体側面の曲率半径
Ｒ１２ ：第６レンズＬ６の像側面の曲率半径
Ｒ１３ ：光学フィルタＧＦの物体側面の曲率半径
Ｒ１４ ：光学フィルタＧＦの像側面の曲率半径
ｄ   ：レンズの軸上厚み、又は、レンズ間の軸上距離
ｄ０：絞りＳ１から第１レンズＬ１の物体側面までの軸上距離
ｄ１：第１レンズＬ１の軸上厚み
ｄ２：第１レンズＬ１の像側面から第２レンズＬ２の物体側面までの軸上距離
ｄ３：第２レンズＬ２の軸上厚み
ｄ４：第２レンズＬ２の像側面から第３レンズＬ３の物体側面までの軸上距離
ｄ５：第３レンズＬ３の軸上厚み
ｄ６：第３レンズＬ３の像側面から第４レンズＬ４の物体側面までの軸上距離
ｄ７：第４レンズＬ４の軸上厚み
ｄ８：第４レンズＬ４の像側面から第５レンズＬ５の物体側面までの軸上距離
ｄ９：第５レンズＬ５の軸上厚み
ｄ１０：第５レンズＬ５の像側面から第６レンズＬ６の物体側面までの軸上距離
ｄ１１：第６レンズＬ６の軸上厚み
ｄ１２：第６レンズＬ６の像側面から光学フィルタＧＦの物体側面までの軸上距離
ｄ１３：光学フィルタＧＦの軸上厚み
ｄ１４：光学フィルタＧＦの像側面から像面Ｓｉまでの軸上距離
ｎｄ  ：ｄ線の屈折率
ｎｄ１ ：第１レンズＬ１のｄ線の屈折率
ｎｄ２ ：第２レンズＬ２のｄ線の屈折率
ｎｄ３ ：第３レンズＬ３のｄ線の屈折率
ｎｄ４ ：第４レンズＬ４のｄ線の屈折率
ｎｄ５ ：第５レンズＬ５のｄ線の屈折率
ｎｄ６：第６レンズＬ６のｄ線の屈折率
ｎｄｇ：光学フィルタＧＦのｄ線の屈折率
vｄ   ：アッベ数
v１：第１レンズＬ１のアッベ数
v２：第２レンズＬ２のアッベ数
v３：第３レンズＬ３のアッベ数
v４：第４レンズＬ４のアッベ数
v５：第５レンズＬ５のアッベ数
v６：第６レンズＬ６のアッベ数
vｇ：光学フィルタＧＦのアッベ数
ＴＴＬ：光学長（第１レンズＬ１の物体側面から像面Ｓｉまでの軸上距離、単位がｍｍである）
ＬＢ：第６レンズＬ６の像側面から像面Ｓｉまでの軸上距離（光学フィルタＧＦの厚みを含む）
ＩＨ：像高
ｙ=(ｘ２／Ｒ)／[１＋{１−(ｋ＋１)(ｘ２／Ｒ２)}１／２]
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６＋Ａ１８ｘ１８＋Ａ２０ｘ２０          （１３）
【００４１】
ここで、ｋは円錐係数であり、Ａ４、Ａ６、Ａ８、Ａ１０、Ａ１２、Ａ１４、Ａ１６、Ａ１８、Ａ２０は非球面係数であり、ｘは非球面曲線上の点と光軸との垂直距離であり、ｙが非球面深さ(非球面上の光軸からの距離がｘである点と、非球面の光軸上の頂点に接する接平面との両者間の垂直距離)である。
【００４２】
各レンズ面の非球面は、便宜上、上記式(１３)で表される非球面を使用している。しかしながら、特に、この式（１３）の非球面多項式に限定するものではない。
【００４３】
好ましくは、高品質の結像需要を満足するように、前記レンズの物体側面及び／又は像側面には変曲点及び／又は停留点（Ｓｔａｔｉｏｎａｒｙ  ｐｏｉｎｔ）を設置することができる。具体的な実施案について、下記の説明を参照する。
【００４４】
表１、表２は、本発明の第１実施形態に係る広角レンズ１０の設計データを示す。
【００４５】
【表１】
0006983203.tif 000002
【００４６】
表２は、本発明の第１実施形態の広角レンズ１０における各レンズの非球面データを示す。
【００４７】
【表２】
0006983203.tif 000003
【００４８】
図２、図３は、それぞれ波長４７０ｎｍ、５５５ｎｍ及び６５０ｎｍの光が第１実施形態に係る広角レンズ１０を通った後の軸上色収差及び倍率色収差を示す模式図である。図４は、波長５５５ｎｍの光が第１実施形態に係る広角レンズ１０を通った後の像面湾曲及び歪曲収差を示す模式図であり、図４の像面湾曲Ｓは、サジタル方向の像面湾曲であり、Ｔは、タンジェンシャル方向の像面湾曲である。
【００４９】
後の表９は、各実施形態における各条件式で規定されたパラメータに対応する値を示す。
【００５０】
表９に示すように、第１実施形態は、各条件式を満たす。
【００５１】
本実施形態では、前記広角レンズは、入射瞳径ＥＮＰＤが２．３６６ｍｍであり、全視野の像高ＩＨが３．４６５ｍｍであり、対角線方向の画角２ωが７７．５５°であり、広角、極薄であり、その軸上、軸外色収差が十分に補正され、且つ優れた光学特性を有する。
【００５２】
（第２実施形態）
第２実施形態は、第１実施形態と基本的に同じであり、記号の意味も第１実施形態と同じであるため、相違点のみを以下に示す。
【００５３】
表３、表４は、本発明の第２実施形態の広角レンズ２０の設計データを示す。
【００５４】
【表３】
0006983203.tif 000004
【００５５】
表４は、本発明の第２実施形態の広角レンズ２０における各レンズの非球面データを示す。
【００５６】
【表４】
0006983203.tif 000005
【００５７】
図６、図７は、それぞれ波長４７０ｎｍ、５５５ｎｍ及び６５０ｎｍの光が第２実施形態に係る広角レンズ２０を通った後の軸上色収差及び倍率色収差を示す模式図である。図８は、波長５５５ｎｍの光が第２実施形態に係る広角レンズ２０を通った後の像面湾曲及び歪曲収差を示す模式図である。
【００５８】
表９に示すように、第２実施形態は、各条件式を満たす。
【００５９】
本実施形態において、第１レンズＬ１の焦点距離ｆ１が３．８３３ｍｍであり、第２レンズＬ２の焦点距離ｆ２が−９．８６８ｍｍであり、第３レンズＬ３の焦点距離ｆ３が８２．１０７ｍｍであり、第４レンズＬ４の焦点距離ｆ４が−３４．４８５ｍｍであり、第５レンズＬ５の焦点距離ｆ５が３．１００ｍｍであり、第６レンズＬ６の焦点距離ｆ６が−２．７２０ｍｍであり、第６レンズＬ６の像側面における停留点から光軸までの垂直距離Ｙｃ６２が０．８７５ｍｍである。
【００６０】
本実施形態において、第４レンズＬ４の物体側面が凹面であり、第４レンズＬ４の像側面が凸面であり、第５レンズＬ５の物体側面が凹面である。Ｔ５６ｍｉｎは、０．５５２ｍｍであり、光軸に位置する。
【００６１】
広角レンズ１０は、全体焦点距離が４．２７５ｍｍであり、光学長ＴＴＬが４．８９６ｍｍであり、バックフォーカスＬＢが１．２５４ｍｍであり、ＦＮＯが１．８４０であり、前記広角レンズの入射瞳径ＥＮＰＤが２．３２３ｍｍであり、全視野像高ＩＨが３．４６５ｍｍであり、対角線方向の画角２ωが７７．００°であり、広角且つ極薄であり、その軸上、軸外色収差が十分に補正されつつ、優れた光学特性を有する。
【００６２】
（第３実施形態）
第３実施形態は、第１実施形態と基本的に同じであり、記号の意味も第１実施形態と同じであるため、相違点のみを以下に示す。
【００６３】
表５、表６は、本発明の第３実施形態の広角レンズ３０の設計データを示す。
【００６４】
【表５】
0006983203.tif 000006
【００６５】
表６は、本発明の第３実施形態の広角レンズ３０における各レンズの非球面データを示す。
【００６６】
【表６】
0006983203.tif 000007
【００６７】
図１０、図１１は、それぞれ波長４７０ｎｍ、５５５ｎｍ及び６５０ｎｍの光が第３実施形態に係る広角レンズ３０を通った後の軸上色収差及び倍率色収差を示す模式図である。図１２は、波長５５５ｎｍの光が第３実施形態に係る広角レンズ３０を通った後の像面湾曲及び歪曲収差を示す模式図である。
【００６８】
下記の表９には、上記の条件式に応じて本実施形態における各条件式に対応する値が挙げられている。明らかに、本実施形態の撮像光学システムは、上記条件式を満たす。
【００６９】
本実施形態において、第１レンズＬ１の焦点距離ｆ１が３．５５９ｍｍであり、第２レンズＬ２の焦点距離ｆ２が−８．２１６ｍｍであり、第３レンズＬ３の焦点距離ｆ３が１８．６７９ｍｍであり、第４レンズＬ４の焦点距離ｆ４が−１３．１０４ｍｍであり、第５レンズＬ５の焦点距離ｆ５が３．０７６ｍｍであり、第６レンズＬ６の焦点距離ｆ６が−２．６９０ｍｍであり、第６レンズＬ６の像側面における停留点から光軸までの垂直距離Ｙｃ６２が０．８５５ｍｍである。
【００７０】
本実施形態において、第４レンズＬ４の物体側面が凹面であり、第４レンズＬ４の像側面が凸面であり、第５レンズＬ５の物体側面が凹面である。Ｔ５６ｍｉｎは、０．５４２ｍｍであり、光軸に位置する。
【００７１】
本実施形態において、広角レンズ１０は、全体焦点距離が４．２９５ｍｍであり、光学長ＴＴＬが４．９０４ｍｍであり、バックフォーカスＬＢが１．２３９であり、ＦＮＯが１．８４０であり、前記広角レンズの入射瞳径ＥＮＰＤが２．３３４ｍｍであり、全視野像高ＩＨが３．４６５ｍｍであり、対角線方向の画角２ωが７６．６８°であり、広角且つ極薄であり、その軸上、軸外色収差が十分に補正されつつ、優れた光学特性を有する。
【００７２】
（第４実施形態）
第４実施形態は、第１実施形態と基本的に同じであり、記号の意味も第１実施形態と同じであるため、相違点のみを以下に示す。
【００７３】
表７、表８は、本発明の第４実施形態の広角レンズ４０の設計データを示す。
【００７４】
【表７】
0006983203.tif 000008
【００７５】
表８は、本発明の第４実施形態の広角レンズ４０における各レンズの非球面データを示す。
【００７６】
【表８】
0006983203.tif 000009
【００７７】
図１４、図１５は、それぞれ波長４７０ｎｍ、５５５ｎｍ及び６５０ｎｍの光が第４実施形態に係る広角レンズ４０を通った後の軸上色収差及び倍率色収差を示す模式図である。図１６は、波長５５５ｎｍの光が第４実施形態に係る広角レンズ４０を通った後の像面湾曲及び歪曲収差を示す模式図である。
【００７８】
下記の表９には、上記の条件式に応じて本実施形態における各条件式に対応する値が挙げられている。明らかに、本実施形態の撮像光学システムは、上記条件式を満たす。
【００７９】
本実施形態において、第１レンズＬ１の焦点距離ｆ１が４．８０３ｍｍであり、第２レンズＬ２の焦点距離ｆ２が−２２．０１４ｍｍであり、第３レンズＬ３の焦点距離ｆ３が３６５．８０３ｍｍであり、第４レンズＬ４の焦点距離ｆ４が−４１．９１７ｍｍであり、第５レンズＬ５の焦点距離ｆ５が２．７６９ｍｍであり、第６レンズＬ６の焦点距離ｆ６が−２．６３９ｍｍであり、第６レンズＬ６の像側面における停留点から光軸までの垂直距離Ｙｃ６２が０．９０５ｍｍである。
【００８０】
本実施形態において、第４レンズＬ４の物体側面が凹面であり、第４レンズＬ４の像側面が凹面であり、第５レンズＬ５の物体側面が凹面である。Ｔ５６ｍｉｎは、０．５０４ｍｍであり、光軸から１．６ｍｍの高さに位置する。
【００８１】
本実施形態において、広角レンズ１０の全体焦点距離が４．１０４ｍｍであり、光学長ＴＴＬが４．８２９ｍｍであり、バックフォーカスＬＢが１．２８８ｍｍであり、ＦＮＯが１．８８５であり、前記広角レンズの入射瞳径ＥＮＰＤが２．１７７ｍｍであり、全視野像高ＩＨが３．４６５ｍｍであり、対角線方向の画角２ωが７９．４４°であり、広角且つ極薄であり、その軸上、軸外色収差が十分に補正されつつ、優れた光学特性を有する。
【００８２】
表９は、各数値実施例の各条件式で規定されたパラメータに対応する数値を示す。
【００８３】
【表９】
0006983203.tif 000010
【００８４】
当業者であれば分かるように、上記各実施形態が本発明を実現するための具体的な実施形態であり、実際の応用において、本発明の精神と範囲から逸脱しない限り、形式及び細部に対して各種の変更を行うことができる。
【図１】
0006983203.tif 000011
【図２】
0006983203.tif 000012
【図３】
0006983203.tif 000013
【図４】
0006983203.tif 000014
【図５】
0006983203.tif 000015
【図６】
0006983203.tif 000016
【図７】
0006983203.tif 000017
【図８】
0006983203.tif 000018
【図９】
0006983203.tif 000019
【図１０】
0006983203.tif 000020
【図１１】
0006983203.tif 000021
【図１２】
0006983203.tif 000022
【図１３】
0006983203.tif 000023
【図１４】
0006983203.tif 000024
【図１５】
0006983203.tif 000025
【図１６】
0006983203.tif 000026